(57)【要約】【課題】本発明は、省スペースで且つ内部に収容した被収容物を取り出し易い収容箱を提供することを課題とする。【解決手段】本発明の書類収容箱（収容箱）１は、直方体の箱型の本体２と蓋体３とを備えている。本体２を構成する第一長壁５ａと第二長壁５ｂには、本体２の開口縁を形成している上縁部分から上方に向かって突出した突出部８ａ，８ｂが形成されており、蓋体３を構成する天板１３の長手辺沿いには貫通孔１５ａ，１５ｂが設けられている。これらの貫通孔１５ａ，１５ｂには、本体２に設けられた突出部８ｂ，８ａが挿通されることを特徴とする。【選択図】図１
2007160636.tif 000002
【特許請求の範囲】
【請求項１】
互いに向かい合う一対の短壁と一対の長壁と底板とから構成される箱型の本体と、互いに向かい合う一対の短壁と一対の長壁と天板とから構成され、前記本体の開口を覆う箱型の蓋体とを備え、前記本体内に被収容物を収容する収容箱であって、
前記本体は、一対の長壁の上縁から上方に突出した突出部を有し、
前記蓋体は、前記天板の、長壁寄りの位置に貫通孔を有していることを特徴とする収容箱。
【請求項２】
前記蓋体を、前記天板が底となるように回転させ、前記本体を下段とし且つ手前に位置するように、前記蓋体をずらして前記本体上に載置させるとき、前記本体の前記突出部と、前記天板に設けられた前記貫通孔が係合することを特徴とする請求項１に記載の収容箱。
【請求項３】
前記貫通孔は、前記蓋体の一対の長壁に沿って形成され、且つ前記蓋体を前記本体に被せたときに、この貫通孔は、前記本体の一対の長壁の上端にて塞がれる位置に設けられていることを特徴とする請求項１又は２に記載の収容箱。
【請求項４】
前記本体の一対の長壁の各々の上端には、前記突出部から前記本体の短壁に向かって下り傾斜となるように切り欠かれた傾斜部が設けられていることを特徴とする請求項１〜３の何れかに記載の収容箱。
【請求項５】
前記本体の一対の長壁には、前記傾斜部の最下点から前記突出部に向かって折り返される延出部が、前記長壁の上部に設けられ、前記天板が底となるように回転させ、前記本体を下段とし且つ手前に位置するように、前記蓋体をずらして前記本体上に載置させるとき、前記延出部は、前記蓋体の一方の短壁の左右に設けられた孔部に挿通されることを特徴とする請求項４に記載の収容箱。
【請求項６】
一端が前記本体の前記底板に固定され、その底板の長手方向の表面に敷設され、他端が前記本体の短壁を越えて前記本体の外方に位置する敷設手段が設けられていることを特徴とする請求項１〜５の何れかに記載の収容箱。
【請求項７】
前記天板が底となるように回転させ、前記本体を下段とし且つ手前に位置するように、前記蓋体をずらして前記本体上に載置させたときの、前記本体の前面側の短壁には、その上端中央に矩形状の切り欠き部が設けられていることを特徴とする請求項１〜６の何れかに記載の収容箱。
【発明の詳細な説明】
【技術分野】
【０００１】
本発明は、被収容物を内部に収納する収容箱に関する。
【背景技術】
【０００２】
従来より、既決書類と未決書類とを分けて収容する書類決裁箱がある。従来の書類決済箱は、箱型の本体と、本体の開口を覆う箱型の蓋体とから構成されている。
【０００３】
そして、本体又は蓋体は、既決の書類又は未決の書類というように書類を分別するために使い分けられることが多い。この場合、書類収容箱は、本体と蓋体とは横に並べられたり、どちらか一方の上にもう一方を９０度回転させて重ねられたりして用いられることが多い。
【発明の開示】
【発明が解決しようとする課題】
【０００４】
しかしながら、本体と蓋体とを横に並べると、本体を置くスペースと蓋体を置くスペースとを要してしまう。そのため、机上等の限られたスペース内では、書類決裁箱を置くために充分なスペースが確保できない場合があった。
【０００５】
また、蓋体を本体に対して９０度ずらして重ねると、本体及び蓋体内に収容する書類の向きも９０度回転してしまい使い勝手が悪いという欠点があった。
【０００６】
加えて、本体と蓋体とを９０度回転させた状態で上下に重ねると、下段の箱内に収容された書類（中身）が取り出し難いという問題もあった。
【０００７】
そこで、本発明は、省スペースで且つ箱内に収容した被収容物を取り出し易い収容箱を提供することを課題とする。
【課題を解決するための手段】
【０００８】
本発明は上記事項に鑑みてなされたものであり、すなわち本発明は、互いに向かい合う一対の短壁と一対の長壁と底板とから構成される箱型の本体と、互いに向かい合う一対の短壁と一対の長壁と天板とから構成され、本体の開口を覆う箱型の蓋体とを備え、本体内に被収容物を収容する収容箱であって、本体は、一対の長壁の上縁から上方に突出した突出部を有し、蓋体は、天板の、長壁寄りの位置に貫通孔を有していることを特徴とする。
【０００９】
そして、本発明の収容箱は、蓋体を、天板が底となるように回転させ、本体を下段とし且つ手前に位置するように、蓋体をずらして本体上に載置させるとき、本体の前記突出部と、天板に設けられた前記貫通孔が係合することを特徴としている。
【００１０】
本発明の本体と蓋体は一方が開口した箱型の部材である。蓋体は、本体の開口を覆うことができるように、本体よりも少し大きいサイズに形成されている。
【００１１】
本体の一対の長壁の上端に設けられた固定手段は、長壁の上端が上方に向かって舌片状に延びた突出部とすることができる。この場合、蓋体には、突出部を挿通できる貫通孔を係合手段として設けることができる。係合手段は、蓋体を本体と同じ向きに重ねることができるように、天板の、蓋体の一対の長壁に沿った部分に各々設けられる。尚、蓋体を本体の上に重ねる場合は、本体が手前に位置するように蓋体を重ねる。
【００１２】
このように、本発明の収容箱は、蓋体と本体とを上下に重ねることにより、上下段の箱内に被収容物を収容することができるデスクトレイとして使用することができる。これにより、本発明の収容箱は、机上においても省スペースで多くの被収容物を収容することができる。
【００１３】
また、本発明の収容箱は、蓋体を本体と同じ向きで重ねるため、本体内に収容された被収容物と蓋体に収容された被収容物との向きを同じ向きにすることができ、使い勝手をよくすることができる。
【００１４】
さらに、本発明の収容箱によれば、本体と蓋体とを横に並べることがなくなり、省スペースで被収容物の整理・分別を行うことができる。
【００１５】
また、本発明の貫通孔は、蓋体の一対の長壁に沿って形成され、且つ蓋体を本体に被せたときに、この貫通孔は、本体の一対の長壁の上端にて塞がれる位置に設けられていると好ましい。例えば、固定手段が上記した突出部の場合、突出部は平たい舌片状なので貫通孔は突出部の幅と長さが挿通できる大きさであればよい。突出部は長壁と同じ厚みでありそれほど厚みのあるものではない。そのため、貫通孔は細長い溝状になる。
【００１６】
このように、貫通孔が細長い形状に形成されていることにより蓋体の天板の目立たない位置に設けられている。さらに、本発明に係る貫通孔は、本体の長壁の上端にて塞がれる位置に設けられている。これにより、収容箱を蓋付きの箱として使用するために蓋体を本体に被せた場合であっても、貫通孔は長壁の上端によって塞がれるため、内部に埃やゴミが進入することを極力少なくすることができる。
【００１７】
また、本発明の収容箱は、本体の一対の長壁の各々の上端には、突出部から本体の短壁に向かって下り傾斜となるように切り欠かれた傾斜部が設けられている構成とすることもできる。この場合、傾斜部の傾斜は、収容箱を使用するときの前面側に向かって傾斜している。
これにより、蓋体の内部に収容された被収容物を容易に取り出すことが可能となる。
【００１８】
さらに、本発明の収容箱は、本体の一対の長壁には、傾斜部の最下点から突出部に向かって折り返される延出部が、長壁の上部に設けられ、天板が底となるように回転させ、本体を下段とし且つ手前に位置するように、蓋体をずらして本体上に載置させるとき、延出部は、蓋体の一方の短壁の左右に設けられた孔部に挿通される。孔部は蓋体の短壁の両長壁側に沿って短壁の下隅の方に形成されると好ましい。これにより、孔部は外観に目立つことなく、さらに蓋体としての機能を損なわせることもない。
【００１９】
また、本発明の収容箱は、一端が本体の底板に固定され、その底板の長手方向の表面に敷設され、他端が本体の短壁を越えて本体の外方に位置する敷設手段が設けた構成とすると好ましい。
【００２０】
本発明に係る敷設手段は、リボン等の紐状のものや、弾性を有するシート状のものとすることができる。紐状の敷設手段の場合、紐を本体の底板又は蓋体の天板に、その一端を固定し、他端を本体又は蓋体の外方へ出した状態にする。
【００２１】
また、シート状の敷設手段は、本体の底板又は蓋体の天板内に収まる形状及びサイズの面板部と、面板部の端部から立設した立設部とを有すると好ましい。この立設部は、収容箱の使用時の前面側に位置するように配する。使用者は、このような敷設手段の上に被収容物を載せるようにして本体又は蓋体に被収容物を収容する。
【００２２】
そして、本体又は蓋体に収容された被収容物を取り出す場合、使用者は、敷設手段を持ち上げるように引っ張り上げる。すると、敷設手段上に載せられた被収容物も一緒に持ち上がった状態となる。これにより、本体又は蓋体内に収容された最下の被収容物の取り出しを容易に行うことができる。
【００２３】
また、本発明に係る天板が底となるように回転させ、本体を下段とし且つ手前に位置するように、蓋体をずらして本体上に載置させたときの、本体の前面側の短壁に、その上端中央に矩形状の切り欠き部を設けた構成とすると好ましい。これにより、下段となる本体内に収容された被収容物を取り出しやすくなる。
【発明の効果】
【００２４】
以上のように、本発明によれば、省スペースで且つ箱内に収容した被収容物を取り出し易い収容箱を提供することが可能となる。
【発明を実施するための最良の形態】
【００２５】
以下、本実施形態の収容箱について図面を参照して詳説する。尚、本発明の収容箱には発泡ポリプロピレンを用いると好ましいが、その他の樹脂や紙等も適用可能である。さらに、本実施形態では、収容箱を、書類や紙類を入れる書類収容箱として説明するが、本発明の収容箱はこれに限定されるものではない。
【００２６】
図１に示すように、本実施形態の書類収容箱１は、何れも直方体の箱型の本体２と蓋体３とを備えている。
【００２７】
まず、本体２について説明する。本体２は、互いに向かい合う一対の短壁（以下、第一短壁４ａと第二短壁４ｂと称す）、一対の長壁（以下、第一長壁５ａと第二長壁５ｂと称す）と、周縁にそれらが立設する底板６とから構成されている。尚、本説明では、図２に示す第一短壁４ａを正面側とし、図３に示す第二短壁４ｂを背面側とする。
【００２８】
図２に示すように、第一短壁４ａには、その上端から中央に向かって矩形状の切り欠き部７が設けられている。つまり、第一短壁４ａは全体形状が略Ｕの字型をなしている。このように、前面に切り欠き部７が設けられていることにより、本体２内への書類の出し入れがし易くなる。
【００２９】
また、第一長壁５ａと第二長壁５ｂとは、本体２の開口縁を形成している上縁部分から上方に向かって突出した突出部８ａ，８ｂが設けられている。本実施形態の突出部８ａ，８ｂは、第一短壁４ａを前面とした場合、背面の第二短壁４ｂ側の第一長壁５ａ，第二長壁５ｂに設けられている。尚、本実施例では、第一短壁４ａ，第二短壁４ｂの長さは２５５ｍｍとし、第一長壁５ａ，第二長壁５ｂの長さは３３５ｍｍとする。これは書類の大きさをＡ４サイズとした場合に好適なサイズであり、本発明の書類収容箱は書類のサイズに応じて様々なサイズの書類に適用することが可能である。
【００３０】
また、第一長壁５ａと第二長壁５ｂとの上縁には、書類収容箱１の背面側から前面側に向かう傾斜部９ａ，９ｂが形成されている。図４に示すように、傾斜部９ａ，９ｂは、第一長壁５ａ，第二長壁５ｂの長手方向に向かって突出部８ａ，８ｂと連続している、つまり、傾斜部９ａ，９ｂは、第二短壁４ｂから第一短壁４ａに向かう傾斜を有している。尚、傾斜部９ａ，９ｂは、第二短壁４ｂ側の第一長壁５ａの端部及び第二長壁５ｂの端部から３５ｍｍのスペースＳを空けた位置から傾斜するように設けると好ましい。このスペースＳの部分に突出部８ａ，８ｂが設けられている。
【００３１】
また、図５に示すように、本実施形態の傾斜部９ａ（９ｂ）の傾斜角度Ｒは、１〜４°
が適当であり、特に３°とすると好ましい。
【００３２】
尚、第二短壁４ｂの高さは、傾斜部９ａ，９ｂの傾斜の開始地点における第一長壁５ａ，第二長壁５ｂの高さと同じ高さに形成され、第一短壁４ａの高さは、第一長壁５ａ，第二長壁５ｂの最上端、つまり、突出部８ａ，８ｂの上端までの高さと同じに形成されている。
【００３３】
また、図４に示すように、傾斜部９ａと傾斜部９ｂの傾斜の下流（つまり、第一短壁４４ａ側）には、上流（つまり、第二短壁４ｂ側）に向かって延出した延出部１０ａ，１０ｂが設けられている。つまり、延出部１０ａと延出部１０ｂは、傾斜部９ａと傾斜部９ｂの傾斜の最下点から突出部８ａ，８ｂに向かって折り返されるように形成されている。尚、本実施形態では、延出部１０ａ，１０ｂは、第一短壁４ａ側の第一長壁５ａ，第二長壁５ｂそれぞれの端部から１００ｍｍ程度のスペースＴを空けた位置から突出部８ａ，８ｂ側に向かって設けられている。
【００３４】
次に、蓋体３について説明する。蓋体３は、互いに向かい合う一対の短壁（以下、第三短壁１１ａと第四短壁１１ｂと称す）、一対の長壁（以下、第三長壁１２ａと第四長壁１２ｂと称す）と、周縁にそれらが垂下する天板１３とから構成されている。
【００３５】
また、第三短壁１１ａの天板１３側の左右の隅には、孔部１４ａ，１４ｂが設けられている。孔部１４ａ，１４ｂは、第三短壁１１ａを貫通している。これらの孔部１４ａ，１４ｂには、本体２の延出部１０ｂ，１０ａが挿通される。そのため、孔部１４ａ，１４ｂの大きさは、延出部１０ｂ，１０ａを挿通できるだけの大きさであればよい。
【００３６】
さらに、蓋体３の天板１３の、第三長壁１２ａ寄りの平面及び第四長壁１２ｂ寄りの平面には、貫通孔１５ａ，１５ｂが設けられている。貫通孔１５ａ，１５ｂは、第三長壁１２ａ，第四長壁１２ｂの長手に沿って細長い形状に形成されている。これらの貫通孔１５ａ，１５ｂには、本体２に設けられた突出部８ｂ，８ａが挿通される。そのため、これらの貫通孔１５ａ，１５ｂは突出部８ｂ，８ａが挿通できるだけの大きさであればよい。
【００３７】
また、貫通孔１５ａ，１５ｂは、蓋体３を本体２に被せたとき、本体の長壁５ａ，５ｂが貫通孔１５ａ，１５ｂを塞ぐ位置に設けられている。
【００３８】
これにより、蓋体３を蓋として使用する場合であっても、貫通孔１５ａ，１５ｂは長壁５ａ，５ｂの上端によって塞がれるため、本体２の内部に埃やゴミが進入することを防止することができる。
【００３９】
また、貫通孔１５ａ，１５ｂは、天板１３の長手辺の真ん中よりも第四短壁１１ｂ（すなわち、書類収容箱１全体としての背面側）寄りに設けられている。これにより、本体２を下段とし手前に位置するように蓋体３を重ねて固定することができる。
以上に説明した本体２と蓋体３とにより本実施形態の書類収容箱１が構成されている。
【００４０】
次に、本実施形態の書類収容箱１の使用状態及び使用方法について説明する。
まず、本実施形態の書類収容箱１を蓋付きの箱として使用する場合は、蓋体３を本体２に被せる。このときの書類収容箱１は、蓋体３の天板１３が本体２の開口を覆い、蓋体３の第三短壁１１ａが本体２の第一短壁４ａの外側に，蓋体３の第四短壁１１ｂが本体２の第二短壁４ｂの外側に，蓋体３の第三長壁１２ａが本体２の第一長壁５ａの外側に，蓋体３の第四長壁１２ｂが本体２の第二長壁５ｂの外側に位置するように当接した状態となる。
【００４１】
本体２の内方に紙類やファイル等の書類を入れ、その上から蓋体３を被せることにより、書類の整理だけでなく、書類を埃，ゴミ，光等から保護して保存することができる。
【００４２】
次に、本実施形態の書類収容箱１を、書類の区分け（未決・既決書類等）を行うデスクトレイとして使用する場合について説明する。
【００４３】
図６に示すように、本実施形態の書類収容箱１をデスクトレイとして使用する場合は、まず、蓋体３の天板１３が底面となるようにひっくり返す。そして、本体２の延出部１０ａ，１０ｂに、蓋体３の孔部１４ｂ，１４ａを挿通させる。このとき、本体２の突出部８ａ，８ｂを、蓋体３の天板１３に設けられた貫通孔１５ｂ，１５ａのそれぞれに挿通する。尚、第二短壁４ｂの高さは、突出部８ａ，８ｂの上端から傾斜部９ａ，９ｂの傾斜の開始地点までの高さ分低く形成されている。これにより、第二短壁４ｂの高さに阻まれることなく、突出部８ａ，８ｂを完全に貫通孔１５ｂ，１５ａ内に挿通することができる。
【００４４】
上記したように、貫通孔１５ａ，１５ｂは、天板１３の長手辺の半分よりも第四短壁１１ｂ寄りに設けられているため、本実施形態の書類収容箱１をデスクトレイとして使用する場合は、本体２が下段となり、且つ手前に位置した状態になる。
【００４５】
また、本実施形態の書類収容箱１は、突出部８ａ，８ｂと貫通孔１５ｂ，１５ａが同じ方向に設けられているため、蓋体３を本体２と同じ向きに重ねることができる。つまり、本実施形態の書類収容箱１は、従来の書類収容箱のように、蓋体を本体に対して９０°回転させた状態で載置することがなくなる。
【００４６】
加えて、蓋体３を本体２の上部に重ねることができるため、設置スペースを省略することができ、狭いスペースを効率的に利用することができる。
【００４７】
さらに、本実施形態の書類収容箱１は、本体２及び蓋体３の箱の一部を切り取ることにより、突出部８ａ，８ｂ、延出部１０ａ，１０ｂ、孔部１４ａ，１４ｂ、貫通孔１５ａ，１５ｂを形成している。つまり、本実施例の書類収容箱は、新たな部品を追加することなく本体２に蓋体３を重ねて固定することができる構造であるため、製造工程を簡略化することができる。
【００４８】
また、本実施形態の書類収容箱１は、本体２の第一短壁４ａに切り欠き部７が設けられていることにより、本体２内部に収容した書類の取り出しが容易になる。
【００４９】
さらに、本実施形態の書類収容箱１は、本体２の第一長壁５ａ及び第二長壁５ｂに、本体２の前面（切り欠き部７方向）に向かった傾斜部９ａ，９ｂが設けられているため、蓋体３自体も本体２の前面方向に傾斜する。これにより、蓋体３の内部に収容された書類の取り出しも容易とすることができる。
【００５０】
また、本体２に、突出部８ａ，８ｂ及び延出部１０ａ，１０ｂが設けられ、蓋体３に孔部１４ａ，１４ｂ及び貫通孔１５ａ，１５ｂが設けられ、突出部８ａ，８ｂが貫通孔１５ｂ，１５ａに挿通され、延出部１０ａ，１０ｂが孔部１４ｂ，１４ａに挿通されることにより、蓋体３を本体２に係止する。これにより、本体２と蓋体３とのガタつきを防ぐことができ、安定した状態で書類を収容することができる。
【００５１】
また、孔部１４ａ，１４ｂは、第三短壁１１ａの左右の隅の方に設けられている。そのため、本体２に蓋体３を被せて書類収容箱１を蓋付きの箱として使用する場合においても、孔部１４ａ，１４ｂは本体２の第一短壁４ａで塞がれた状態となるため内部への埃の進入を防ぐことに影響することはない。
【００５２】
加えて、孔部１４ａ，１４ｂは、第三短壁１１ａの隅に設けられているため、蓋体３を本体２に被せて蓋として使用した場合においても、孔部１４ａ，１４ｂの存在自体が外観を損ね難い。
【００５３】
（その他の実施態様１）
本実施形態の書類収容箱１は、デスクトレイとして本実施形態の書類収容箱１を使用したときに、本体２又は蓋体３内に収容された書類を取り易くする敷設手段を設けた態様とすることもできる。尚、以下の説明では、本体２に敷設手段が設けられたものとして説明するが、敷設手段を蓋体３にも設けた構成としてもよい。
【００５４】
図７に示すように、敷設手段として、紐（リボン）状のもの（以下、紐部２０と称す）を好適に用いることができる。紐部２０は、一端が本体２の底板６に固定されている。尚、固定の方法は接着剤，テープ，留め金，ピン等の固定具を用いてもよいし、底板６に孔を空けてその孔に紐部２０を通して紐部２０の端部に孔よりも大きな径の結び目を作って固定してもよい。
【００５５】
また、紐部２０は、紐部２０の固定されていない側の端部を、第一短壁４ａの切り欠き部７から本体２の外へ出すのに充分な長さを有している。書類は紐部２０が下になるように紐部２０の上に載せられる。
【００５６】
そして、本体２内の最下に収容された書類を取り出すときには、図８に示すように、使用者は、紐部２０を持ち上げるように引っ張る。それに伴い書類を持ち上げることができるため、最下に収容された紙一枚の書類等でも容易に取り出すことができる。
【００５７】
（その他の実施態様２）
また、本実施形態の書類収容箱１は、図９に示すようなシート状の敷設手段（以下、敷設シート３０と称す）を用いることもできる。尚、この敷設シート３０は、弾性を有する樹脂にて形成すると好ましい。
【００５８】
加えて、敷設シート３０は、本体２の底板６に収まるサイズ及び底板６とほぼ同じ形状に形成すると好ましい。このような形状にすることにより、本体２内に収容された書類が底板６のサイズよりも小さいものであった場合でも、書類の取り出しを補助する機能を損なうことがなくなる。
【００５９】
また、敷設シート３０の一端には、使用者が敷設シート３０を掴むための摘み部３１が立設されている。敷設シート３０は、この摘み部３１が第一短壁４ａの切り欠き部７側に位置するように本体２内に配され、敷設シート３０の上に書類が載せられる。
【００６０】
そして、本体２内の最下に収容された書類を取り出すときには、使用者は、敷設シート３０の摘み部３１を持ち上げる。それに伴い書類を持ち上げることができるため、最下に収容された紙一枚の書類等でも容易に取り出すことができる。
【００６１】
以上、本発明の好適な実施例について説明したが、本発明はこれに限定されることなく、本発明の技術的思想を逸脱することなく種々の設計変更をなしえることは勿論である。
【図面の簡単な説明】
【００６２】
【図１】本実施例の書類収容箱（収容箱）の斜視図である。
【図２】本実施例の本体の正面図である。
【図３】本実施例の本体の背面図である。
【図４】本実施例の本体の側面図である。
【図５】図４中Ａ部の拡大図である。
【図６】本実施例の書類収容箱の使用状態を示す図である。
【図７】その他の実施態様１における敷設手段を示す図である。
【図８】敷設手段の使用状態を示す図である。
【図９】その他の実施態様２における敷設手段の使用状態を示す図である。
【符号の説明】
【００６３】
１  収容箱（書類収容箱）
２  本体
３  蓋体
４ａ  第一短壁
４ｂ  第二短壁
５ａ  第一長壁
５ｂ  第二長壁
６  底板
７  切り欠き部
８ａ，８ｂ  突出部（固定手段）
９ａ，９ｂ  傾斜部
１０ａ，１０ｂ  延出部
１１ａ  第三短壁
１１ｂ  第四短壁
１２ａ  第三長壁
１２ｂ  第四長壁
１３  天板
１４ａ，１４ｂ  孔部
１５ａ，１５ｂ  貫通孔（係合手段）
２０  紐部（敷設手段）
３０  敷設シート（敷設手段）
３１  摘み部
【図１】
2007160636.tif 000003
【図２】
2007160636.tif 000004
【図３】
2007160636.tif 000005
【図４】
2007160636.tif 000006
【図５】
2007160636.tif 000007
【図６】
2007160636.tif 000008
【図７】
2007160636.tif 000009
【図８】
2007160636.tif 000010
【図９】
2007160636.tif 000011